【事件の表示】
　特願２０００−３８９９０「遊技機用シンボル表示装置」拒絶査定不服審判事件〔平成１３年８月２１日出願公開、特開２００１−２２４７７３〕について、次のとおり審決する。
【結　論】
　本件審判の請求は、成り立たない。
【理　由】
１．手続の経緯
　本願は、平成１２年２月１７日の出願であって、平成１６年２月２３日付けで拒絶の理由が通知され、これに対し、平成１６年５月６日付けで手続補正がなされたが、平成１６年８月１２日付けで拒絶査定がなされ、これに対し、平成１６年９月２２日に拒絶査定不服審判が請求されると共に、平成１６年１０月２２日付けで手続補正がなされたものである。
　
２．平成１６年１０月２２日付けの手続補正（以下、「本件補正」という。）についての補正却下の決定
［補正却下の決定の結論］
　平成１６年１０月２２日付けの手続補正を却下する。
［理由］
（１）本件補正の内容
　本件補正により、特許請求の範囲の請求項１は、次のように補正された。
　「出力軸を突出させたケースの内部に組み込まれたステッピングモータと、
　前記ケース内に組み込まれ、ステッピングモータの駆動軸に固定された駆動ギヤと噛み合い、駆動ギヤよりも大径の大径ギヤと、前記出力軸に固定された出力ギヤと噛み合い、出力ギヤよりも小径であって前記大径ギヤと同軸で一体に回転する小径ギヤとからなり、駆動ギヤの回転を２段に減速して出力軸に伝達する減速ギヤ機構と、
　前記出力軸の先端部に回転方向及び軸方向に関して固着され、外周面から半径方向に突出した信号片が一体に設けられたハブと、
　外周に一定ピッチでシンボルが配列された円筒形状を有し、一端側に保持壁及び、保持壁の中央部に他端側に向かってカップ状に突出した装着部が一体に設けられるとともに他端側が開放されたリールであって、前記装着部がその外周面から前記信号片を半径方向に突出させて前記ハブを包み込むように軸方向から嵌められ、回転方向に関してハブに位置ずれなく装着されるとともに、軸方向に関しては前記ケースの大部分を内部に収納するように出力軸に固定されるリールと、
　前記出力軸が突出した側で前記ケースの一端面を覆うカバー板に出力軸と平行に突出するように設けられたセンサ支持板に固定され、出力軸の回転とともにハブが回転したときに前記装着部の外周面の外側で前記信号片の通過を光電検出するフォトセンサと、
　このフォトセンサから引き出された信号線を前記ケースの周壁に沿わせて配線する止め具とを有し、
　前記ステッピングモータの回転及び停止により、遊技機に設けられた表示窓の奥でシンボルの移動表示及びシンボルの停止表示を行うようにしたことを特徴とする遊技機用シンボル表示装置。」
　
　上記補正は、平成１６年５月６日付け手続補正書の特許請求の範囲の請求項１に記載した発明を特定するために必要な事項である「ケースの一端面を覆うカバー板から出力軸と平行に突出したセンサ支持板」を「出力軸が突出した側でケースの一端面を覆うカバー板からに出力軸と平行に突出したするように設けられたセンサ支持板」と限定するものと認められるから、この補正事項は、平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例１に記載の発明
　原査定の拒絶の理由に引用された特開平７−２９９２１２号公報（以下「引用例」という。）には、図面とともに以下の事項が記載されている。
　
【００２５】回転ドラム６４ａ〜６４ｃは、外周面が平面状に形成されるものであり、その外周面に描かれる図９に示すような配列となっている。そして、図９中、丸印が外れ図柄であり、それ以外の各文字が大当り図柄であり、同一の大当り図柄がいずれかの当りライン上で一致したときに大当り遊技状態となる。また、ドラムランプ６６ａ〜６６ｃは、表示窓部３２ａ〜３２ｃに表示される３つの図柄に対応するように３つずつ設けられているが、この３つのランプの発光色を異ならせることにより、回転中の図柄の色彩がいろいろと変化し、より遊技者の興趣を引き付けることができる。
【００２６】更に、ステッピングモータ６５ａ〜６５ｃの詳細な構造は、図８に示すようになっている。なお、３つの回転ドラムユニット６２ａ〜６２ｃは、同じ構造であるので、以下の説明では、ドラムユニットの主要構成部品の部品符号末尾の英文字符号を省略して説明する。しかして、ステッピングモータ６５は、固定側（以下、ステータという）を構成する固定子形成取付板７０、中央固定子形成筒７９、及び固定子形成蓋板８３と、回転側（以下、ロータという）を構成する回転子８５とから構成されている。まず、ステータ側の構成について説明すると、固定子形成取付板７０は、その中央に軸受孔７１ａが貫通形成された軸受筒７１が固着され、該軸受筒７１にドーナツ状に形成されたセンサ取付基板７２が配置されている。センサ取付基板７２は、基準位置検出器としてのドラムセンサ７３と、該ドラムセンサ７３の感度を調節する感度調節器７４と、それらを駆動する回路が設けられている。本実施例においては、ドラムセンサ７３は、反射型フォトセンサで構成されており、反射した光を検知することにより出力信号を導出するようになっている。
【００２７】なお、ドラムセンサ７３のセンサ取付基板７２上の位置は、後に詳述する被検出部１０２の回転軌跡上の一点に対応する位置に設けられる。また、センサ取付基板７２は、ビス７６ａ，７６ｂによって固定子形成取付板７０に止着されるが、後述する嵌合部材９３のカット面９５と回転ドラム６４とが正確に嵌合されていない場合（カット面９５を有する部材の回転軸８９への嵌着状態が正確に行われていない場合が多い）に、簡単に修正できるようにセンサ取付基板７２に形成された円弧状の調節長穴７５ａ，７５ｂに添って僅かに回転できるようになっており、正確に位置合わせした後にビス７６ａ，７６ｂを螺着する。そして、その螺着された状態で固定子形成取付板７０の裏面から配線１０１が引き出されている。…
【００２８】…また、巻線コイル８０ａ，８０ｂから延びる配線８１ａ，８１ｂと前記センサ取付基板７２から延びる配線１０１とは、モータ配線として後述する中継基板６７に接続されている。
【００３０】一方、ロータ側は、鉄製の回転子８５と、該回転子８５の中心に前後方向に一体的に突設される回転筒軸８６に貫通される回転軸８９とから構成されている。回転子８５は、円形状に設けられた前記固定子鉄心７８ａ〜８８ｄの直径よりもやや小さいな直径を有するように形成されると共に、中央固定子形成筒７９の巾寸法よりもやや小さい巾寸法を有するように構成されている。そして、回転子８５の内側には、前記センサ取付基板７２に向って被検出部１０２が突設されている。この被検出部１０２は、前記ドラムセンサ７３によって検知され得るようにドラムセンサ７３に対面する先端部に白色の色彩が施されている。また、回転子８５の中心に突設される回転筒軸８６は、前記軸受筒７１の軸受孔７１ａに貫通されて固定子形成取付板７０の外側に突出し、その後端部に形成された固定溝８７にワッシャー９９を介装してＥリング１００が係止されて回転子８５を回転自在に支持している。そして、回転筒軸８６を上記のように支持したときには、図７に示すように、軸受筒７１先端と回転子８５の基部との間に２枚の金属ワッシャー９７と１枚のスプリングワッシャー９８とが介装されて回転子８５の回転をより円滑ならしめている。また、回転筒軸８６の後端面には、クリアランス形成凹部８８が形成されている。
【００３１】上記した回転筒軸８６には、後方から回転軸８９が挿入されるが、回転軸８９の後端には、前記クリアランス形成凹部８８に係合する係止片９０が固着されている。ただし、係止片９０よりもクリアランス形成凹部８８の方が大きいので、係合したときに僅かなクリアランスが生じるようになっている。なお、係止片９０とクリアランス形成凹部８８との間には、円滑ワッシャー９２が介装されている。また、回転筒軸８６に挿入した状態で回転軸８９の先端部には、弾性部材９６を介してカット面９５を有する嵌合部材９３が固定ピン９４によって固着される。この嵌合部材９３に前記回転ドラム６４の軸支部６９の形成された嵌合凹部６９ａが正確に嵌着され、嵌合凹部６９ａに連通する止着穴６９ｃからビス６９ｂを差し込んで回転軸８９の先端面に形成される止め穴９１に螺着することによって回転ドラム６４が嵌合部材９３から抜けないようにしている。
　
　また、図７を参酌すれば、回転ドラム６４は、円筒形状を有し、一端側に保持壁が一体に設けられるとともに他端側が開放されたリールであって、モータの大部分を内部に収納すること、及び、嵌合凹部６９ａがカップ状であることが明らかであり、図１０及び当該技術分野における技術常識を参酌すれば、図柄が一定ピッチで配列されていることが明らかである。
　
　前記摘示の記載及び図面からの認定事項によれば、引用例には、以下の発明（以下、「引用発明」という。）が記載されているものと認められる。
　「回転軸８９を突出させたステッピングモータ６５と、外周に一定ピッチで図柄が配列された円筒形状を有し、一端側に保持壁及び、保持壁の中央部に他端側に向かってカップ状の嵌合凹部６９ａが一体に設けられるとともに他端側が開放されたリールであって、前記嵌合凹部６９ａがその外周面から嵌合部材９３を包み込むように軸方向から嵌められ、軸方向に関してはステッピングモータ６５の大部分を内部に収納するように出力軸に固定されるリールと、
　出力軸の回転とともに回転子８５が回転したときに被検出部１０２の通過を光電検出するドラムセンサ７３と、
　このドラムセンサ７３から引き出された配線１０１を有し、
　ステッピングモータ６５の回転及び停止により、遊技機に設けられた表示窓部３２の奥で図柄の移動表示及び図柄の停止表示を行うようにした遊技機用図柄表示装置。」
　
（３）対比
　本願補正発明と引用発明を対比すると、引用発明の「回転軸８９」は本願補正発明の「出力軸」に対応し、以下同様に、「ステッピングモータ６５」は「ステッピングモータ」に、「図柄」は「シンボル」に、「嵌合凹部６９ａ」は「装着部」に、「嵌合部材９３」は「ハブ」に、「ドラムセンサ７３」は「フォトセンサ」に、「配線１０１」は「信号線」に、「表示窓部３２」は「表示窓」に各々対応し、
　引用発明の「軸方向に関してはステッピングモータ６５の大部分を内部に収納する」点は、本願補正発明の「ケース」には「ステッピングモータ」が組み込まれていることから、本願補正発明の「軸方向に関してはケースの大部分を内部に収納する」点と、「軸方向に関してはステッピングモータの大部分を内部に収納する」点で一致し、
　引用発明の「被検出部１０２」と本願補正発明の「信号片」は、「被検出部」で一致するものである。
　
　そうすると両者は、「出力軸を突出させたステッピングモータと、
　外周に一定ピッチでシンボルが配列された円筒形状を有し、一端側に保持壁及び、保持壁の中央部に他端側に向かってカップ状の装着部が一体に設けられるとともに他端側が開放されたリールであって、前記装着部がその外周面からハブを包み込むように軸方向から嵌められ、軸方向に関してはステッピングモータの大部分を内部に収納するように出力軸に固定されるリールと、
　出力軸が回転したときに被検出部の通過を光電検出するフォトセンサと、
　このフォトセンサから引き出された信号線を有し、
　前記ステッピングモータの回転及び停止により、遊技機に設けられた表示窓の奥でシンボルの移動表示及びシンボルの停止表示を行うようにした遊技機用シンボル表示装置。」で一致し、以下の点で相違する。
　
　相違点１；本願補正発明は、ステッピングモータに関して、「ケースの内部に組み込まれ」ており、また、減速ギヤ機構に関して、「ステッピングモータの駆動軸に固定された駆動ギヤと噛み合い、駆動ギヤよりも大径の大径ギヤと、前記出力軸に固定された出力ギヤと噛み合い、出力ギヤよりも小径であって前記大径ギヤと同軸で一体に回転する小径ギヤとからなり、駆動ギヤの回転を２段に減速して出力軸に伝達する」のに対して、引用発明は、ケース及び減速ギヤ機構を用いていない点。
　
　相違点２；ハブに関して、本願補正発明は、「出力軸の先端部に回転方向及び軸方向に関して固着され、外周面から半径方向に突出した信号片が一体に設けられ」ているのに対して、引用発明は、そのように構成されていない点。
　
　相違点３；リールに関して、本願補正発明は、装着部が「突出」するとともに「信号片を半径方向に突出させて」嵌められ、「回転方向に関してハブに位置ずれなく装着され」、「ケース」の大部分を内部に収納するのに対して、引用発明は、そのように構成されていない点。
　
　相違点４；本願補正発明は、フォトセンサに関して、「出力軸が突出した側でケースの一端面を覆うカバー板に出力軸と平行に突出するように設けられたセンサ支持板に固定され、出力軸の回転とともにハブが回転したときに前記装着部の外周面の外側で信号片の通過を光電検出」し、このフォトセンサから引き出された信号線を「ケースの周壁に沿わせて配線する止め具とを有」するのに対して、引用発明は、そのように構成されていない点。
　
（４）判断
　相違点１について
　引用発明の属する遊技機分野において、リールの大きさは、遊技機の種類等各種条件に応じて適宜決められることであり、小型化についても、当業者が当然の如く想起し得ることであり、また、リール等の非駆動側を滑らかに回転させることも、ステッピングモータを用いた技術全般の常識的な課題であるから、本願補正発明の技術課題を格別なものということはできず、そのような課題において、相違点１に係る本願補正発明のような構成を備えた周知のステッピングモータ（必要ならば、特開平９−４７５４２号公報の段落０００３−０００８及び図１５、特開平９−２７５６５５号公報又は特開平１０−２３４１７２号公報等を参照のこと。なお、例示した周知例は、駆動ギヤの回転を３段に減速して出力軸に伝達するものであるが、減速ギヤ機構において減速する段数は設計事項に過ぎない。）を引用発明に採用することは当業者が適宜成し得る程度のことである。
　
　相違点２について
　出力軸の先端部に回転方向及び軸方向に関して固着され、外周面から半径方向に突出した信号片が一体に設けられたハブは、当該技術分野においても、周知技術（必要ならば、特開平２−２６４６８３号公報又は特開平７−８０１３２号公報等を参照のこと。）であるから、そのような周知技術を参酌して、引用発明を相違点２に係る本願補正発明のような構成とすることは、当業者が容易に想到できることである。
　
　相違点３について
　装着部が「突出」する点は、引用発明は逆側に突出するものということもでき、どちらに突出させるかは当業者によって適宜選択されている事項であるから、選択的に決め得る程度の設計事項である。
　「信号片を半径方向に突出させて」嵌められる点は、前記相違点２について検討したことを踏まえると、当然の帰結といえる。
　「回転方向に関してハブに位置ずれなく装着される」点は、技術分野に限らず、被装着物を回転軸に装着する際の技術常識（必要ならば、前記した周知例である特開平１０−２３４１７２号公報にも記載されている。）であるから、当業者が適宜成し得ることである。
　「ケース」の大部分を内部に収納する点は、前記相違点１について検討したことを踏まえると、当然の帰結といえる。
　したがって、引用発明を相違点３に係る本願補正発明のような構成とすることは、当業者が容易に想到し得る程度のことである。
　
　相違点４について
　「出力軸が突出した側でケースの一端面を覆うカバー板に出力軸と平行に突出するように設けられたセンサ支持板に固定され」る点について、回転に関して検出するためのフォトセンサを固定する位置として、固定側とすることは、当業者にとって技術常識ともいえる当然の事項であって、前記相違点１について検討したことを踏まえると、固定側としてケースを想起することは、当業者にとって唯一ともいえる選択肢であり、また、支持板による固定も、文献を例示するまでもない慣用手段であるから、本願補正発明のように固定することは、当業者が設計的に成し得る程度のことである。
　「出力軸の回転とともにハブが回転したときに前記装着部の外周面の外側で信号片の通過を光電検出する」ことも、前記相違点２について検討したことを踏まえると、当然の帰結といえる。
　また、配線を止め具により固定することは、文献を例示するまでもない慣用手段であるから、当業者が設計的に成し得る程度のことである。
　したがって、引用発明を相違点４に係る本願補正発明のような構成とすることは、当業者が容易に想到し得る程度のことである。
　
　作用効果について
　本願補正発明の作用効果も、引用発明及び周知・慣用技術から当業者が予測できる域を超えるものではない。
　
　したがって、本願補正発明は、引用発明及び周知・慣用技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するものであり、特許法第１５９条第１項で準用する特許法第５３条第１項の規定により却下されるべきものである。
　
　
３．本願発明について
　平成１６年１０月２２日付けの手続補正は上記のとおり却下されたので、本願の請求項１に係る発明（以下「本願発明」という。）は、平成１６年５月６日付け手続補正書の特許請求の範囲の請求項１に記載された以下のとおりのものである。
　「出力軸を突出させたケースの内部に組み込まれたステッピングモータと、
　前記ケース内に組み込まれ、ステッピングモータの駆動軸に固定された駆動ギヤと噛み合い、駆動ギヤよりも大径の大径ギヤと、前記出力軸に固定された出力ギヤと噛み合い、出力ギヤよりも小径であって前記大径ギヤと同軸で一体に回転する小径ギヤとからなり、駆動ギヤの回転を２段に減速して出力軸に伝達する減速ギヤ機構と、
　前記出力軸の先端部に回転方向及び軸方向に関して固着され、外周面から半径方向に突出した信号片が一体に設けられたハブと、
　外周に一定ピッチでシンボルが配列された円筒形状を有し、一端側に保持壁及び、保持壁の中央部に他端側に向かってカップ状に突出した装着部が一体に設けられるとともに他端側が開放されたリールであって、前記装着部がその外周面から前記信号片を半径方向に突出させて前記ハブを包み込むように軸方向から嵌められ、回転方向に関してハブに位置ずれなく装着されるとともに、軸方向に関しては前記ケースの大部分を内部に収納するように出力軸に固定されるリールと、
　前記ケースの一端面を覆うカバー板から出力軸と平行に突出したセンサ支持板に固定され、出力軸の回転とともにハブが回転したときに前記装着部の外周面の外側で前記信号片の通過を光電検出するフォトセンサと、
　このフォトセンサから引き出された信号線を前記ケースの周壁に沿わせて配線する止め具とを有し、
　前記ステッピングモータの回転及び停止により、遊技機に設けられた表示窓の奥でシンボルの移動表示及びシンボルの停止表示を行うようにしたことを特徴とする遊技機用シンボル表示装置。」
　
（１）引用例に記載の発明
　原査定の拒絶の理由に引用された引用例である特開平７−２９９２１２号公報は、前記２．（２）において記載した引用例と同一文献であって、この引用例の記載事項及び該記載事項に基づいて認定される発明（以下、「引用発明」という。）は、前記したとおりのものである。
　
（２）対比・判断
　本願発明は、前記２．で検討した本願補正発明の「出力軸が突出した側でケースの一端面を覆うカバー板からに出力軸と平行に突出したするように設けられたセンサ支持板」を「ケースの一端面を覆うカバー板から出力軸と平行に突出したセンサ支持板」と限定を削除するもので、概念的に上位にしたものである。
　そうすると、本願発明を概念的に下位にしたものに相当する本願補正発明が、前記２．（４）に記載したとおり、引用発明及び周知・慣用技術に基づいて、当業者が容易に発明をすることができたものであるから、本願発明も、同様の理由により、引用発明及び周知・慣用技術に基づいて、当業者が容易に発明をすることができたものである。
　
（３）むすび
　以上のとおり、本願発明は、引用発明及び周知・慣用技術に基いて、当業者が容易に発明をすることができたものであるから、本願は、特許法第２９条第２項の規定により特許を受けることができない。
　よって、結論のとおり審決する。